(57)【要約】【課題】プラズマディスプレイパネルを提供する。【解決手段】前面基板１０１と、前面基板１０１と対向して配置された背面基板１０２と、前面基板１０１と背面基板１０２との間に配置された複数の放電電極１０３と、放電セル内に形成された複数の発光体層１１１と、電子を供給するために放電セル内に配置され、当該放電セル別に面積が異なる電子放出源１１５と、を備えている。【選択図】図１
2007157692.tif 000002
【特許請求の範囲】
【請求項１】
前面基板と、
前記前面基板と対向して配置された背面基板と、
前記前面基板と前記背面基板との間に配置された複数の放電電極と、
放電セル内に形成された複数の発光体層と、
電子を供給するために放電セル内に配置され、当該放電セル別に面積が異なる電子放出源と、
を備えるプラズマディスプレイパネル。
【請求項２】
前記電子放出源は、
電子を放出するソースとしての第１電極と、
前記第１電極上に形成された電子加速層と、
を備える請求項１に記載のプラズマディスプレイパネル。
【請求項３】
前記電子加速層は、酸化された多孔性ポリシリコン層または酸化された多孔性非晶質シリコン層であることを特徴とする請求項２に記載のプラズマディスプレイパネル。
【請求項４】
前記電子加速層上には、前記第１電極との間で電界を形成するための第２電極がさらに形成されたことを特徴とする請求項２に記載のプラズマディスプレイパネル。
【請求項５】
前記放電電極は第１電極であって、
前記電子加速層上には、前記第１電極と電界を形成するための第２電極がさらに設置されたことを特徴とする請求項２に記載のプラズマディスプレイパネル。
【請求項６】
前記発光体層は、前記電子放出源が設置された基板と対応する他の基板の内面に形成されたことを特徴とする請求項１に記載のプラズマディスプレイパネル。
【請求項７】
前記放電セルのうち、輝度が相対的に低い放電セルに配置された電子放出源の面積は、輝度が相対的に高い放電セルに配置された電子放出源の面積よりも大きく形成されたことを特徴とする請求項１に記載のプラズマディスプレイパネル。
【請求項８】
前記放電電極は、
維持放電を行う複数の維持放電電極対と、
前記維持放電電極対と交差する方向に配置され、アドレッシング放電をするアドレス電極と、
を含む請求項２に記載のプラズマディスプレイパネル。
【請求項９】
前記アドレス電極は第１電極であって、
前記電子加速層上には、前記第１電極との間に電界を形成するために第２電極がさらに設置されたことを特徴とする請求項８に記載のプラズマディスプレイパネル。
【請求項１０】
前面基板と、
前記前面基板と対向して配置された背面基板と、
前記前面基板と前記背面基板との間に配置された複数の放電電極と、
放電セル内に塗布された複数の発光体層と、
電子を供給するために放電セル内に配置され、当該放電セル別に配置される数が異なる電子放出源と、
を備えるプラズマディスプレイパネル。
【請求項１１】
前記電子放出源は、
電子を放出するソースとしての第１電極と、
前記第１電極上に形成された電子加速層と、
を備えることを特徴とする請求項１０に記載のプラズマディスプレイパネル。
【請求項１２】
前記電子加速層は、酸化された多孔性ポリシリコン層または酸化された多孔性非晶質シリコン層であることを特徴とする請求項１１に記載のプラズマディスプレイパネル。
【請求項１３】
前記電子加速層上には、前記第１電極との間で電界を形成するための第２電極がさらに形成されたことを特徴とする請求項１１に記載のプラズマディスプレイパネル。
【請求項１４】
前記放電電極は第１電極であって、
前記電子加速層上には、前記第１電極と電界を形成するための第２電極がさらに形成されたことを特徴とする請求項１１に記載のプラズマディスプレイパネル。
【請求項１５】
前記発光体層は、前記電子放出源が設置された基板と対応する他の基板の内面に形成されたことを特徴とする請求項１１に記載のプラズマディスプレイパネル。
【請求項１６】
前記放電セルのうち、輝度が相対的に低い放電セルに配置された電子放出源の数は、輝度が相対的に高い放電セルに配置された電子放出源の数よりも多く形成されたことを特徴とする請求項１１に記載のプラズマディスプレイパネル。
【請求項１７】
前記放電セルのうち、輝度が相対的に低い放電セルに配置された複数の電子放出源は、放電セルの対向する両端部に沿ってそれぞれ配置されたことを特徴とする請求項１６に記載のプラズマディスプレイパネル。
【請求項１８】
前記放電電極は、
維持放電を起こす複数の維持放電電極対と、
前記維持放電電極対と交差する方向に配置され、アドレッシング放電を起こすアドレス電極と、
を含む請求項１１に記載のプラズマディスプレイパネル。
【請求項１９】
前記アドレス電極は第１電極であって、
前記電子加速層上には、前記第１電極との間に電界を形成するための第２電極がさらに設置されたことを特徴とする請求項１８に記載のプラズマディスプレイパネル。
【発明の詳細な説明】
【技術分野】
【０００１】
本発明は、プラズマディスプレイパネル（Ｐｌａｓｍａ  Ｄｉｓｐｌａｙ  Ｐａｎｅｌ：以下、ＰＤＰ）に係り、より詳細には、放電セル別に電子放出源の大きさを異なるようにて形成して、放電特性を向上させたＰＤＰに関する。
【背景技術】
【０００２】
ＰＤＰは、通常、複数の基板内に放電ガスを注入して密閉し、複数の放電電極に印加される電圧によってガス放電が発生すれば、その放電の過程で発生する紫外線によって蛍光体層が励起されて可視光を発散して、所望の数字、文字、または画像を具現する平板表示装置である。
【０００３】
ＰＤＰのうち、一般的に使われている３電極面放電型ＰＤＰは、前面基板と、前記前面基板と対向して配置された背面基板と、前記前面基板の内面に形成された維持放電電極対であるＸ電極及びＹ電極と、維持放電電極対を埋め込む前面誘電体層と、前面誘電体層の表面にコーティングされた保護膜層と、背面基板の内面に形成され、維持放電電極対と交差する方向に配置されたアドレス電極と、アドレス電極を埋め込む背面誘電体層と、前面及び背面基板の間に設置された隔壁と、隔壁の内側及び背面誘電体層の表面にコーティングされた赤、緑、または青色の蛍光体層と、を備えている。一方、前面及び背面基板の結合された内部空間には放電ガスを注入して放電領域を形成している。
【０００４】
このような構造を持つ従来のＰＤＰは、放電を通じて電子を持続的に供給して加速させ、加速された電子が中性粒子と衝突して生じた励起粒子が放出する紫外線によって蛍光体層を励起させて可視光を得る。
【０００５】
ところが、この過程で、発光に係わらないイオンが生成され、このようなイオンも加速されるので、不要なエネルギー損失により放電効率が非常に低くなってしまうという問題がある。
【０００６】
また、放電の特性上、放電セルをさらに小さくしてしまうと、これに伴い放電効率も低下してしまい、また、放電が不安定になるなどの信頼性に問題が生じる。このため、３電極面放電型ＰＤＰは、現在、ＶＧＡ（６４０×４８０）、ＳＶＧＡ（８００×６００）級のみに主に用いられてきたが、ＨＤＴＶ用ＰＤＰ（１９２０×１０３５）に用いるためには高精細化が必要である。
【発明の開示】
【発明が解決しようとする課題】
【０００７】
本発明は、前記のような問題を解決するために成されたものであって、放電電極や、誘電体層上に酸化された多孔性シリコンのような電子放出源を、放電セル別に面積や数を異なるように形成して放電セル別に輝度を制御するＰＤＰを提供することを目的とする。
【課題を解決するための手段】
【０００８】
前記目的を達成するための本発明の一側面によるＰＤＰは、前面基板と、前記前面基板と対向して配置された背面基板と、前記基板内に配置された複数の放電電極と、放電セル内に形成された複数の発光体層と、電子を供給するために放電セル内に配置され、放電セル別に面積を異ならせる電子放出源と、を備えることを特徴とする。
【０００９】
また、前記電子放出源は、電子を放出するソースになる第１電極と、前記第１電極上に形成された電子加速層と、を備えることを特徴とする。
【００１０】
さらに、前記電子加速層は、酸化された多孔性ポリシリコン層または酸化された多孔性非晶質シリコン層であることを特徴とする。
【００１１】
さらに、前記電子加速層上には、前記第１電極との間で電界を形成するために第２電極がさらに形成されたことを特徴とする。
【００１２】
さらに、前記発光体層は、電子放出源が設置された基板と対応する他の基板の内面に形成されたことを特徴とする。
【００１３】
さらに、前記放電セルのうち、輝度が相対的に低い放電セルに配置された電子放出源の面積は、輝度が相対的に高い放電セルに配置された電子放出源の面積よりも大きく形成されたことを特徴とする。
【００１４】
本発明の他の側面によるＰＤＰは、前面基板と、前記前面基板と対向して配置された背面基板と、前記基板内に配置された複数の放電電極と、放電セル内に塗布された複数の発光体層と、電子を供給するために放電セル内に配置され、放電セル別に数を異ならせて配置された電子放出源と、を備えることを特徴とする。
【００１５】
また、前記電子放出源は、電子を放出するソースになる第１電極と、前記第１電極上に形成された電子加速層と、を備えることを特徴とする。
【００１６】
さらに、前記放電セルのうち、輝度が相対的に低い放電セルに配置された電子放出源の数は、輝度が相対的に高い放電セルに配置された電子放出源の数より多く形成されたことを特徴とする。
【００１７】
さらに、輝度が低い放電セルに配置された複数の電子放出源は、放電セルの対向する両端部に沿ってそれぞれ配置されたことを特徴とする。
【発明の効果】
【００１８】
本発明のＰＤＰは、次のような効果を得ることができる。
【００１９】
第１に、放電セル内に電子放出源が設置されることによって電子放出特性が向上し、ＰＤＰの輝度及び発光効率を向上させることができる。
【００２０】
第２に、放電を開始する駆動電圧を低めることができる。
【００２１】
第３に、電子放出源の面積や、数を放電セル別に異ならせて配置することによって、相対的に輝度の低い放電セルでの放電特性を向上させることができる。
【００２２】
第４に、発光効率を向上させることができる。
【発明を実施するための最良の形態】
【００２３】
以下、添付された図面を参照して本発明の望ましい実施形態によるＰＤＰを詳細に説明する。
【００２４】
図１は、本発明の第１実施形態によるＰＤＰ１００の概略的な構成を示す断面図である。
【００２５】
図１を参照すれば、ＰＤＰ１００は、前面基板１０１と、前面基板１０１と平行に配置された背面基板１０２とを備えている。前面基板１０１と背面基板１０２とは、対向する内面の端部に沿って塗布されたフリットガラスによって密閉された放電空間を形成している。
【００２６】
前面基板１０１は、ソーダライムガラスのような透明な基板、半透過性基板、反射性基板、または着色された基板などを使用することができる。前面基板１０１の内面には維持放電電極対１０３が形成されている。維持放電電極対１０３は、Ｘ電極１０４とＹ電極１０５とから形成され、Ｘ電極１０４とＹ電極１０５とは、放電セルごとに一対ずつ配置されている。
【００２７】
Ｘ電極１０４は、ＰＤＰ１００の一方向に沿って配置された第１放電電極ライン１０４ａと、第１放電電極ライン１０４ａ表面の一の端部に沿って配置された第１バス電極ライン１０４ｂとを備えている。第１放電電極ライン１０４ａと、第１バス電極ライン１０４ｂとはいずれもストリップ状である。
【００２８】
Ｙ電極１０５は、ＰＤＰ１００の一方向に沿って配置された第２放電電極ライン１０５ａと、第２放電電極ライン１０５ａ表面の一の端部に沿って配置された第２バス電極ライン１０５ｂとを備えている。第２放電電極ライン１０５ａと、第２バス電極ライン１０５ｂとはストリップ状である。Ｙ電極１０５は、各放電セル別にＸ電極１０４と対向して配置されており、相互に対称的な形状であることが放電の均一化のために有利である。
【００２９】
本実施形態では、第１放電電極ライン１０４ａと第２放電電極ライン１０５ａとは、ＩＴＯ膜のような透明導電膜を用いて形成し、第１バス電極ライン１０４ｂと第２バス電極ライン１０５ｂとは、第１放電電極ライン１０４ａと第２放電電極ライン１０５ａとのライン抵抗を補償するために導電性の優秀な銀ペーストや、クロム−銅−クロムのような金属材から形成されることができる。
【００３０】
維持電極放電対１０３は、Ｘ極１０４とＹ極１０５とがＩＴＯ膜から形成された第１放電電極ライン１０４ａ及び第２放電電極ライン１０５ａと、その上面の一の端部に沿って配置された金属材から形成された第１バス電極ライン１０４ｂ及び第２バス電極ライン１０５ｂから形成されると説明したが、必ずしもこれに限定されるものではない。
【００３１】
Ｘ電極１０４とＹ電極１０４とは、前面誘電体層１０６によって埋め込まれている。前面誘電体層１０６は、透明な誘電体、例えば、ＰｂＯ−Ｂ２Ｏ３−ＳｉＯ２のような高誘電性の材料から形成されている。
【００３２】
前面誘電体層１０６の表面には、２次電子放出量を増大させるために、酸化マグネシウム（ＭｇＯ）からなる保護膜層１０７が形成されている。保護膜層１０７は、前面誘電体層１０６の表面に蒸着されて形成されている。
【００３３】
背面基板１０２は、透明な基板、半透過性基板、反射性基板、または着色された基板などを使用することができる。背面基板１０２の内面には、Ｘ電極１０４とＹ電極１０５とが交差する方向にアドレス電極１０８が配置されている。アドレス電極１０８はストリップ状であり、ＰＤＰ１００の他方向に沿って隣接して配置された放電セルを横切る。アドレス電極１０８は、導電性の優秀な金属材、例えば、銀ペーストから形成されている。アドレス電極１０８は、背面誘電体層１０９によって埋め込まれている。背面誘電体層１０９は、前面誘電体層１０６のような高誘電性の材料から形成されている。
【００３４】
前面基板１０１と背面基板１０２との間には隔壁１１０が配置されている。隔壁１１０は放電セルを画定し、隣接した放電セル間のクロストークを防止するために形成される。
【００３５】
隔壁１１０は、放電空間を画定できる構造であれば良く、例えば、ストライプ状、メアンダー状、またはマトリックス状の形状があるが、これに限定されず、また、放電空間の横断面は、多角形、円形、または楕円形など多様な形状で構成することができる。
【００３６】
一方、保護膜層１０７の内面には、発光体層１１１が各放電セル別に塗布されている。発光体層１１１は、放電によって可視光線を発散させることができる発光メカニズムがおきる。発光体層１１１は、ＰＤＰ１００がカラー画像を具現できるように、赤色発光体層１１１Ｒ、緑色発光体層１１１Ｇ、青色発光体層１１１Ｂが各放電セルの内部に配置されて、それぞれサブピクセルを形成している。
【００３７】
発光体層１１１は、紫外線領域のエネルギーを受けて浮き上った原子が安定化しつつ可視光線を発生させることができる素材ならば、いかなるものでも適用可能であり、望ましくは、ＰＬ蛍光体層（Ｐｈｏｔｏ  Ｌｕｍｉｎｅｓｃｅｎｃｅ  ｐｈｏｓｐｈｏｒ  ｌａｙｅｒ）や、量子ドットを使用することができる。
【００３８】
特に、量子ドットは、原子間の干渉がないために、外部からエネルギーを受ければ、原子エネルギーレベルで浮き上った電子が安定化しつつ光を発光する。したがって、低い電圧でも励起が可能なため、放電効率を向上させることができ、印刷工程が可能で大型化にも有利である。
【００３９】
ここで、放電セル内には面積または数を異ならせて、面積の大きい放電セルや、数の多く放電セルで相対的に電子の放出をさらに多く発生させる電子放出源が配置されている。
【００４０】
より詳細には、次に説明する通りである。
【００４１】
隔壁１１０で画定された放電空間には電子放出源１１５が配置されている。電子放出源１１５は、赤色電子放出源１１２、緑色電子放出源１１３、または青色電子放出源１１４を備えている。
【００４２】
赤色電子放出源１１２は、背面誘電体層１０９の上面に形成された第１電極１１２ａと、第１電極１１２ａと同じ幅を持ち、第１電極１１２ａの表面に形成された第１電子加速層１１２ｂとを備えている。
【００４３】
緑色電子放出源１１３は、赤色電子放出源１１２が配置された放電セル（赤色放電セル）と隣接した他の放電セルで、背面誘電体層１０９の上面に形成された第２電極１１３ａと、第２電極１１３ａと同じ幅を持ち、第２電極１１３ａの表面に形成された第２電子加速層１１３ｂと、を備えている。
【００４４】
青色電子放出源１１４は、緑色電子放出源１１３が配置された放電セル（緑色放電セル）と隣接したさらに他の放電セル（青色放電セル）で、背面誘電体層１０９の上面に形成された第３電極１１４ａと、第３電極１１４ａと同じ幅を持ち、第３電極１１４ａの表面に形成された第３電子加速層１１４ｂと、を備えている。
【００４５】
この時、赤色電子放出源１１２の面積と緑色電子放出源１１３の面積とに比べて、赤色放電セル及び緑色放電セルよりも輝度の低い青色放電セルに配置された青色電子放出源１１４の面積は相対的に拡張されている。
【００４６】
すなわち、赤色電子放出源１１２の幅がＷ１であり、緑色電子放出源１１３の幅がＷ２であり、青色電子放出源１１４の幅がＷ３であれば、青色電子放出源１１４の幅Ｗ３が、赤色電子放出源１１２の幅Ｗ１や緑色電子放出源１１３の幅Ｗ２よりも相対的に広く形成されている。
【００４７】
これにより、同じ電圧が印加されても、青色電子放出源１１４が配置された青色放電セルでの電子供給量が、赤色電子放出源１１２が配置された赤色放電セルや、緑色電子放出源１１３が配置された緑色放電セルでの電子供給量よりも多い電子供給量であると言える。
【００４８】
第１電極１１２ａ〜第３電極１１４ａは、ＩＴＯ膜のような透明導電膜、ＡｌやＡｇのような導電性の優秀な金属膜から形成され、グラウンドと連結されて０Ｖにバイアスされている。
【００４９】
第１電子加速層１１２ｂ〜第３電子加速層１１４ｂは、電子を加速させて電子ビームを発生させることができるものであれば特に限定はされないが、望ましくは、酸化された多孔性シリコン（Ｏｘｉｄｉｚｅｄ  Ｐｏｒｏｕｓ  Ｓｉｌｉｃｏｎ、以下、ＯＰＳ）層である。この時、酸化された多孔性シリコンは、酸化された多孔性ポリシリコン（Ｏｘｉｄｉｚｅｄ  Ｐｏｒｏｕｓ  Ｐｏｌｙｓｉｌｉｃｏｎ、以下、ＯＰＰＳ）や、酸化された多孔性非晶質シリコン（ｏｘｉｄｉｚｅｄ  ｐｏｒｏｕｓ  ａｍｏｒｐｈｏｕｓ  ｓｉｌｉｃｏｎ、以下、ＯＰＡＳ）を含むことができる。
【００５０】
また、代案としては、窒化ホウ素バンブーシュート（ｂｏｒｏｎ  ｎｉｔｒｉｄｅ  ｂａｍｂｏｏ  ｓｈｏｏｔ、以下、ＢＮＢＳ）を含む電子放出源を使用してもよい。ＢＮＢＳは、可視光領域である約３８０〜７８０ナノメートル程度の波長領域で透明な性質を持つだけでなく、負（−）の電子親和力を持っているために、電子放出特性も非常に優秀であると知られている素材である。
【００５１】
ＢＮＢＳを使用する場合にも、赤、緑、青色の放電セルごとに背面誘電体層１０９の表面に第１電極１１２ａ〜第３電極１１４ａをそれぞれ形成させ、第１電極１１２ａ〜第３電極１１４ａの表面にこれらと同じ幅を持つようにＢＮＢＳ層を形成させればよい。
【００５２】
一方、前面基板１０１と背面基板１０２との結合で密閉された内部空間には放電ガスが注入されるが、前記放電ガスは、ネオン（Ｎｅ）ガスや、ヘリウム（Ｈｅ）ガスまたはアルゴン（Ａｒ）ガスのうちいずれか一つまたは二つ以上のガスにキセノン（Ｘｅ）ガスを混合した混合ガスを使用することができる。
【００５３】
この時、電子放出源１１５から出た電子ビームが使用するガスは、電子ビームによる外部エネルギーによって励起され、紫外線を発生させることができるガスであれば特に限定はされず、いずれも使用することができる。すなわち、Ｘｅを含むガス以外にも、Ｎ２、重水素、二酸化炭素、水素機体、一酸化炭素、またはクリプトン（Ｋｒ）などのガスや、大気圧の空気を使用してもよい。また、一般的に使用する、ＰＤＰの放電ガスを使用しても良い。
【００５４】
以上のような構成を持つＰＤＰ１００の作用を説明すれば、次の通りである。
【００５５】
まず、Ｙ電極１０５とアドレス電極１０８との間にアドレス電圧が印加されればアドレッシング放電が起き、アドレッシング放電によって維持放電が起きる放電セルが選択される。
【００５６】
この時、Ｙ電極１０５とアドレス電極１０８との間に電界が形成されるが、電界の生成によって第１電極１１２ａ、第２電極１１３ａ、第３電極１１４ａから第１電子加速層１１２ｂ、第２電子加速層１１３ｂ、第３電子加速層１１４ｂに電子が流れ込み、流れ込んだ電子は第１電子加速層１１２ｂ、第２電子加速層１１３ｂ、第３電子加速層１１４ｂを通過しつつ加速された後に、放電セルの内部に放出される。
【００５７】
放電セルの内部に電子が流れ込めば、アドレッシング放電を円滑に起こすようになるので、アドレス駆動電圧を低めつつ、アドレッシング放電を十分に行うことができる。
【００５８】
次に、選択された放電セルでのＸ電極１０４とＹ電極１０５との間に維持放電電圧が印加されれば、Ｘ電極１０４及びＹ電極１０５に蓄積されていた壁電荷の移動で面放電形式の維持放電を起こす。
【００５９】
維持放電が起きれば、励起された放電ガスのエネルギー準位が低くなりつつ紫外線が放出され、紫外線が放電セル内に塗布された赤、緑、青色の発光体層１１１Ｒ、１１１Ｇ、１１１Ｂを励起させる。
【００６０】
その後、励起された赤、緑、青色の発光体層１１１Ｒ、１１１Ｇ、１１１Ｂのエネルギー準位が低くなりつつ可視光が放出されて、前面基板１０１を通じて出射されつつ画像を具現する。
【００６１】
このように、本実施形態に係るＰＤＰ１００は、アドレス電極１０２の上部側に電子放出源１１５が配置されることによって、アドレッシング放電時に放電セルの内部への電子放出特性が向上して、アドレッシング放電時に印加しなければならないアドレス電圧を低下させることができる。この結果、アドレッシング放電時にアドレス電極１０２間の漏れ電流を減らすことができ、放電セル間のクロストークも防止して誤放電の回数も低減することができる。
【００６２】
また、維持放電時、Ｘ電極１０４とＹ電極１０５との間にも電界が形成されるが、このような電界の生成によって第１電極１１２ａ、第２電極１１３ａ、第３電極１１４ａから第１電子加速層１１２ｂ、第２電子加速層１１３ｂ、第３電子加速層１１４ｂを通過しつつ加速された後、放電セルの内部に放出される。この結果、アドレッシング放電時だけでなく、維持放電時にも電子が電子放出源１１５から放電セルの内部に十分に放出するので、維持放電時に印加しなければならない放電維持電圧が低下して維持放電が行うことができるので、放電効率を向上させることができる。
【００６３】
特に、相対的に放電効率の低い青色放電セルでの放電輝度を向上させるために、青色放電セルに配置された青色放出源１１４は、赤色放電セルに配置された赤色放出源１１２と、緑色放電セルに配置された緑色放出源１１３とよりも相対的に面積が大きく形成されるが、これにより、青色放電セルでは電子の放出がさらに多く発生し、放電セルでの励起種が多く形成されて輝度が補償される。
【００６４】
図２は、本発明の第２実施形態によるＰＤＰ２００の概略的な構成を示す断面図である。なお、第１実施形態において既に説明した内容と重複する内容は、適宜省略して説明する。
【００６５】
図２を参照すれば、ＰＤＰ２００は、前面基板２０１と、前面基板２０１と対向して配置された背面基板２０２とを備えている。
【００６６】
前面基板２０１の内面には、維持放電を起こすＸ電極２０４とＹ電極２０５とを備えた維持放電電極２０３が配置されている。Ｘ電極２０４は、第１放電電極ライン２０４ａと、第１放電電極ライン２０４ａの一の端部に沿って配置された第１バス電極ライン２０４ｂと、を備え、Ｙ電極２０５は、第２放電電極ライン２０５ａと、第２放電電極ライン２０５ａの一の端部に沿って配置された第２バス電極ライン２０４ｂとを備えている。維持放電電極２０３は、前面誘電体層２０６によって埋め込まれている。前面誘電体層２０６の内面には保護膜層２０７が形成されている。
【００６７】
背面基板２０２の内面には、一対の維持放電電極２０３と交差する方向にアドレス電極２０８が配置されている。アドレス電極２０８は、背面誘電体層２０９によって埋め込まれている。
【００６８】
前面基板２０１と背面基板２０２との間には放電空間を画定し、クロストークを防止するための隔壁２１０が設置されている。また、保護膜層２０７の内面には発光体層２１１が形成されており、発光体層２１１は、カラー化のために各放電セル別に赤色発光体層２１１Ｒと、緑色発光体層２１１Ｇと、青色発光体層２１１Ｂとを備えている。
【００６９】
この時、隔壁２１０で画定された放電空間には、電子放出源２１５が配置されている。電子放出源２１５は、赤色電子放出源２１２と、緑色電子放出源２１３と、青色電子放出源２１４とを備える。
【００７０】
赤色電子放出源２１２は、背面誘電体層２０９の上面に形成された第１電極２１２ａと、第１電極２１２ａと同じ幅を持ち、第１電極２１２ａの表面に形成された第１電子加速層２１２ｂと、第１電子加速層２１２ｂの上面に形成された第２電極２１２ｃとを備えている。
【００７１】
緑色電子放出源２１３は、赤色電子放出源２１２が配置された放電セルと隣接した他の放電セルで背面誘電体層２０９の上面に形成された第３電極２１３ａと、第３電極２１３ａと同じ幅を持ち、第３電極２１３ａの表面に形成された第２電子加速層２１３ｂと、第２電子加速層２１３ｂの上面に形成された第４電極２１３ｃとを備えている。
【００７２】
青色電子放出源２１４は、緑色電子放出源２１３が配置された放電セルと隣接したさらに他の放電セルで背面誘電体層２０９の上面に形成された第５電極２１４ａと、第５電極２１４ａと同じ幅を持ち、第５電極２１４ａの表面に形成された第３電子加速層２１４ｂと、第３電子加速層２１４ｂの上面に形成された第６電極２１５ｃと、を備えている。
【００７３】
これにより、第１電極２１２ａ、第３電極２１３ａ、第５電極２１４ａはカソード電極になり、第２電極２１２ｃ、第４電極２１３ｃ、第６電極２１４ｃはグリッド電極になる。第１電極２１２ａ、第３電極２１３ａ、第５電極２１４ａはグラウンドバイアスされており、第２電極２１２ｃ、第４電極２１３ｃ、第６電極２１４ｃにはそれぞれ電圧が印加されて、電圧の大きさによって放出電子の加速エネルギーを制御することができる。
【００７４】
また、第１電子加速層２１２ｂ、第２電子加速層２１３ｂ、第３電子加速層２１４ｂは、第１電極２１２ａ、第３電極２１３ａ、第５電極２１４ａと、第２電極２１２ｃ、第４電極２１３ｃ、第６電極２１４ｃとにそれぞれ所定の電圧が印加されれば、第１電極２１２ａ、第３電極２１３ａ、第５電極２１４ａから流れ込んだ電子を加速させて第２電極２１２ｃ、第４電極２１３ｃ、第６電極２１４ｃを通じて放電セルの内部に電子ビームを放出させることができる。
【００７５】
この時、電子ビームは、ガスを励起させるに必要なエネルギーよりも大きく、ガスをイオン化させるに必要なエネルギーよりは小さなエネルギーを持つことが望ましい。したがって、第１電極２１２ａ、第３電極２１３ａ、第５電極２１４ａと、第２電極２１２ｃ、第４電極２１３ｃ、第６電極２１４ｃとには、電子ビームが放電ガスを励起させることができる最適化した電子エネルギーを持つことができる電圧が印加されることが望ましい。
【００７６】
一方、第１電子加速層２１２ｂ、第２電子加速層２１３ｂ、第３電子加速層２１４ｂの他の実施形態として、ＭＩＭ（ｍｅｔａｌ−ｉｎｓｕｌａｔｏｒ−ｍｅｔａｌ）構造も可能である。すなわち、カソード電極とグリッド電極との間に電圧を印加すれば、カソード電極から出発した薄い絶縁層をトンネリングした後、グリッド電極を通過して空間に放出される。この時、電子を絶縁層及び電極との衝突なしにできるだけ大きな加速エネルギーで空間に放出させるためには、絶縁層及びグリッド電極の材料及び厚さを適宜調節することが望ましい。
【００７７】
この時、青色電子放出源２１４の面積は、赤色電子放出源２１２と緑色電子放出源２１３との面積に比べて相対的に広い。すなわち、青色電子放出源２１４の幅がＷ６であり、赤色電子放出源２１２の幅がＷ４であり、緑色電子放出源２１３の幅がＷ５の場合、青色電子放出源２１４の幅Ｗ６は、赤色電子放出源２１２の幅Ｗ４や緑色電子放出源２１３の幅Ｗ５よりも相対的に広く形成されている。
【００７８】
このように面積を異ならせることは、青色発光体層２１１Ｂの素材特性によって青色放電セルでの輝度が他の放電セルより相対的に落ちるために、電子の放出をさらに多く発生させて輝度を補償するためである。
【００７９】
第１〜第６電極２１２ａ、２１２ｃ、２１３ａ、２１３ｃ、２１４ａ、２１４ｃは、ＩＴＯ膜のような透明導電膜、ＡｌやＡｇのような導電性の優秀な金属から形成されることが望ましい。
【００８０】
また、第１〜第３電子加速層２１２ｂ、２１３ｂ、２１４ｂは、電子を加速させて電子ビームを発生させることができるものであれば特に限定はされないが、望ましくは、酸化された多孔性シリコンから層である。酸化された多孔性シリコンは、酸化された多孔性ポリシリコンや、酸化された多孔性非晶質シリコンを含むことができる。また、窒化ホウ素バンブーシュートを含む電子放出源を使用しても良い。
【００８１】
一方、密閉された放電空間には放電ガスが注入される。放電ガスとしては、ネオン（Ｎｅ）ガスや、ヘリウム（Ｈｅ）ガスまたはアルゴン（Ａｒ）ガスのうちいずれか一つまたは二つ以上のガスにキセノン（Ｘｅ）ガスを混合した混合ガスを使用することができる。この時、電子放出源２１５から出た電子ビームが使用するガスは、電子ビームによる外部エネルギーによって励起され、紫外線を発生させることができるガスであれば特に限定されず、使用することができる。
【００８２】
以上のような構成を持つＰＤＰ２００は、Ｙ電極２０５とアドレス電極２０８との間に所定のアドレス電圧が印加されれば、アドレッシング放電がおき、その結果で維持放電がおきる放電セルが選択される。
【００８３】
この時、Ｙ電極２０５とアドレス電極２０８との間に電界が形成されるが、電界の生成によって第１電極２１２ａ、第３電極２１３ａ、第５電極２１４ａから第１〜第３電子加速層２１２ｂ、２１３ｂ、２１４ｂに電子が流れ込み、流れ込んだ電子は第１〜第３電子加速層２１２ｂ、２１３ｂ、２１４ｂを通過しつつ加速された後、第２電極２１２ｃ、第４電極２１３ｃ、第６電極２１４ｃを経て、赤、緑、青色の放電セルの内部に放出される。
【００８４】
放電セルの内部に電子が流れ込めば、アドレッシング放電を容易に起こすようになるので、アドレス駆動電圧を低めつつアドレッシング放電を十分に行うことができる。
【００８５】
以後、選択された放電セルのＸ電極２０４とＹ電極２０５との間に維持放電電圧が印加されれば、Ｘ電極２０４及びＹ電極２０５に溜まっていた壁電荷の移動で面放電形式の維持放電を起こす。
【００８６】
維持放電が発生すれば、励起された放電ガスのエネルギー準位が低くなりつつ、紫外線が放出され、放出された紫外線が放電セル内に塗布された赤、緑、青色の発光体層２１１を励起させる。以後、励起された発光体層２１１のエネルギー準位が低くなりつつ可視光が放出されて、前面基板２０１を通じて出射されつつ画像を具現する。
【００８７】
この時、赤色電子放出源２１２や、緑色電子放出源２１３より相対的に輝度の低い青色電子放出源２１４は、その幅が相対的に他の電子放出源２１２２１３より広く形成されているので、電子放出がさらに多く発生して輝度をさらに高めることができる。
【００８８】
図３は、本発明の第３実施形態によるＰＤＰ３００の概略的な構成を示す断面図である。なお、第１実施形態および第２実施形態において既に説明した内容と重複する内容は、適宜省略して説明する。
【００８９】
図３を参照すれば、ＰＤＰ３００は、前面基板３０１と、前面基板３０１と対向して配置された背面基板３０２とを備えている。前面基板３０１と背面基板３０２との対向する内面の端部に沿って塗布されたフリットガラスによって密閉された放電空間を形成している。
【００９０】
前面基板３０１の内面には、一対の維持放電電極対３０３が配置されるが、維持放電電極対３０３は、Ｘ電極３０４と、これと交互に配置されたＹ電極３０５とを備えている。Ｘ電極３０４は、第１放電電極ライン３０４ａと、第１放電電極ライン３０４ａの一の端部に沿って配置された第１バス電極ライン３０４ｂとを備えており、Ｙ電極３０５は、第２放電電極ライン３０５ａと、第２放電電極ライン３０５ａの一の端部に沿って配置された第２バス電極ライン３０５ｂとを備えている。維持放電電極対３０３は、前面誘電体層３０６によって埋め込まれており、前面誘電体層３０６の内面には保護膜層３０７が配置されている。
【００９１】
背面基板３０２の内面には、前記維持放電電極対３０６と交差する方向にアドレス電極３０８が配置されている。アドレス電極３０８は、背面誘電体層３０９によって埋め込まれている。
【００９２】
一方、前面基板３０１と背面基板３０２との間には放電空間を画定する隔壁３１０が配置されている。隔壁３１０で画定された放電セルには、発光体層３１１が塗布される。本実施形態では、赤、緑、青色の発光体層３１１Ｒ、３１１Ｇ、３１１Ｒは、保護膜層３０７の内面に沿って隣接した放電セルにそれぞれ塗布されている。
【００９３】
この時、アドレス電極３０８の上面には、電子放出源３１５が配置されている。電子放出源３１５は、赤色電子放出源３１２と、緑色電子放出源３１３と、青色電子放出源３１４とを備えている。
【００９４】
赤色電子放出源３１２は、アドレス電極３０８の表面に接触している第１加速層３１２ａと、第１加速層３１２ａと同じ幅を持つ第１電極３１２ｂとを備えている。アドレス電極３０８は、第１及び第２実施形態で言及した電子を供給する電極である。
【００９５】
緑色電子放出源３１３は、赤色電子放出源３１２が配置された放電セルと隣接した他の放電セルで、アドレス電極３０８の表面に形成された第２加速層３１３ａと、第２加速層３１３ａと同じ幅を持ち、第２加速層３１３ａの表面に形成された第２電極３１３ｂとを備えている。
【００９６】
青色電子放出源３１４は、緑色電子放出源３１３が配置された放電セルと隣接したさらに他の放電セルで、アドレス電極３０８の表面に形成された第３加速層３１４ａと、第３加速層３１４ａと同じ幅を持ち、第３加速層３１４ａの表面に形成された第３電極３１４ｂとを備えている。
【００９７】
この時、第１〜第３加速層３１２ａ、３１３ａ、３１４ａは酸化された多孔性シリコン層を使用し、酸化された多孔性シリコン層は酸化された多孔性ポリシリコン層や酸化された多孔性非晶質シリコン層を含むことができる。
【００９８】
また、第１〜第３加速層３１２ａ、３１３ａ、３１４ａは、アドレス電極３０８の表面に接触して形成されているが、これに限定されない。すなわち、電子加速層は、アドレス電極の側面に接触して配置されるなど、アドレス電極に接触して電子が流れ込まれる構造であれば、その配置する形状に特別な制限はない。
【００９９】
第１〜第３電極３１２ｂ、３１３ｂ、３１４ｂは、第１〜第３加速層３１２ａ、３１３ａ、３１４ａによって加速された電子が放出されやすく、メッシュ構造で形成されることができる。また、第１〜第３電極３１２ｂ、３１３ｂ、３１４ｂは、第１〜第３加速層３１２ａ、３１３ａ、３１４ａと共に、背面誘電体層３０９内に設置され、これらが設置される部分を除いては、アドレス電極３０８の残りの部分が埋め込まれた形態で構成されているが、第１〜第３電極３１２ｂ、３１３ｂ、３１４ｂは、背面誘電体層３０９の上部に位置して、放電セル内に露出されることもある。
【０１００】
ここで、青色電子放出源３１４の面積は、赤色電子放出源３１２と緑色電子放出源３１３との面積に比べて相対的に広い。
【０１０１】
すなわち、青色電子放出源３１４の幅がＷ９であり、赤色電子放出源３１２の幅がＷ７であり、緑色電子放出源３１３の幅がＷ８であれば、青色電子放出源３１４の幅Ｗ９が赤色電子放出源３１２の幅Ｗ７や、緑色電子放出源３１３の幅Ｗ８より相対的に広く形成されている。
【０１０２】
このように、青色発光体層３１１Ｂの素材特性によって青色放電セルでの輝度の低下は、青色電子放出源３１４の面積を赤色電子放出源３１２及び緑色電子放出源３１３の面積より相対的に広く形成させることによってこれを補償することができる。
【０１０３】
以上のような構成を持つＰＤＰ３００の作用を説明すれば、次の通りである。
【０１０４】
Ｙ電極３０５とアドレス電極３０８との間に所定のアドレス電圧が印加されれば、アドレッシング放電が起き、その結果で維持放電が起きる放電セルが選択される。
【０１０５】
この時、アドレス電極３０８から第１〜第３電子加速層３１２ａ、３１３ａ、３１４ａに電子が流れ込んで加速されるが、加速された電子は第１〜第３電極３１２ｂ、３１３ｂ、３１４ｂを経由して放電セルの内部に放出される。この場合にも、Ｙ電極３０５とアドレス電極３０８との間に電界が形成されるが、このような電界の生成によって、アドレス電極３０８から第１〜第３電子加速層３１２ａ、３１３ａ、３１４ａに電子がさらに容易に流れ込み加速されて放電セルの内部に放出される。
【０１０６】
放電セルの内部に電子が流れ込めば、アドレッシング放電を容易に起こすことができるので、アドレス駆動電圧を低めつつアドレッシング放電を十分に行うことができる。
【０１０７】
以後、選択された放電セルのＸ電極３０４とＹ電極３０５との間に維持放電電圧が印加されれば、Ｘ電極３０４及びＹ電極３０５に蓄積されていた壁電荷の移動で面放電形式の維持放電を起こす。
【０１０８】
維持放電時にもＸ電極３０４とＹ電極３０５との間に電界が形成されるが、このような電界が生成されれば、アドレス電極３０８から第１〜第３電子加速層３１２ａ、３１３ａ、３１４ａに電子が流れ込み、流れ込んだ電子は第１〜第３電子加速層３１２ａ、３１３ａ、３１４ａを通過しつつ加速された後に、第１〜第３電極３１２ｂ、３１３ｂ、３１４ｂを経由して放電セルの内部に放出される。
【０１０９】
このように、維持放電電圧を低めても維持放電を十分に行えるので、放電効率が高くなるという利点がある。このような場合、維持放電時にアドレス電極３０８に直接電圧を加えないケースに該当するが、維持放電時にアドレッシング放電時の電圧より低い電圧をアドレス電極３０８に印加すれば、電子がさらに活発に放電セルの内部に流れ込んで放電効率をさらに高めることもできる。
【０１１０】
一方、維持放電が起きれば、励起された放電ガスのエネルギー準位が低くなりつつ紫外線が放出され、紫外線が放電セル内に塗布された赤、緑、青色の発光体層３１１Ｒ、３１１Ｇ、３１１Ｂを励起させる。以後、励起された赤、緑、青色の発光体層３１１Ｒ、３１１Ｇ、３１１Ｂのエネルギー準位が低くなりつつ可視光が放出されて画像を具現する。
【０１１１】
特に、相対的に放電効率の低い青色放電セルでの放電輝度を向上させるために、青色放電セルに配置された青色放出源３１４は、赤色放電セルに配置された赤色放出源３１２と、緑色放電セルに配置された緑色放出源３１３とより相対的に面積が大きく形成されるが、これにより、青色放電セルでは電子放出がさらに多く発生し、放電セルでの励起種が多く形成されて輝度が補償される。
【０１１２】
図４は、本発明の第４実施形態によるＰＤＰ４００の概略構成を示す断面図である。なお、第１実施形態〜第３実施形態において既に説明した内容と重複する内容は、適宜省略して説明する。
【０１１３】
図４を参照すれば、ＰＤＰ４００は、前面基板４０１と、前面基板４０１と対向して配置された背面基板４０２とを備えている。
【０１１４】
前面基板４０１の内面には維持放電電極対４０３が形成されており、維持放電電極対４０３は、Ｘ電極４０４及びＹ電極４０５を備えている。Ｘ電極４０４は、第１放電電極ライン４０４ａと、第１放電電極ライン４０４ａの一の端部に沿って配置された第１バス電極ライン４０４ｂとを備え、Ｙ電極４０５は、第２放電電極ライン４０５ａと、第２放電電極ライン４０５ａの一の端部に沿って配置された第２バス電極ライン４０５ｂと、を備えている。
【０１１５】
維持放電電極対４０３は、前面誘電体層４０６によって埋め込まれており、前面誘電体層４０６の表面には保護膜層４０７が形成されている。背面基板４０２の内面には、維持放電電極対４０３と交差する方向にアドレス電極４０８が配置されている。前面基板４０１と背面基板４０２との間には隔壁４１０が配置されている。
【０１１６】
また、保護膜層４０７の内面には発光体層４１１が各放電セル別に塗布されている。発光体層４１１は、ＰＤＰ４００がカラー画像を具現できるように赤色発光体層４１１Ｒ、緑色発光体層４１１Ｇ、青色発光体層４１１Ｂが各放電セルの内部に配置されて、それぞれサブピクセルをなしている。
【０１１７】
この時、隔壁４１０で限定された放電空間には電子放出源４１６が配置されている。電子放出源４１６は、赤色電子放出源４１２と、緑色電子放出源４１３と、青色電子放出源４１４、４１５とを備えている。
【０１１８】
赤色電子放出源４１２は、背面誘電体層４０９の上面に形成された第１電極４１２ａと、第１電極４１２ａと同じ幅を持ち、第１電極４１２ａの表面に形成された第１電子加速層４１２ｂとを備えている。
【０１１９】
緑色電子放出源４１３は、赤色電子放出源４１２が配置された放電セルと隣接した他の放電セルで背面誘電体層４０９の上面に形成された第２電極４１３ａと、第２電極４１３ａと同じ幅を持ち、第２電極４１３ａの表面に形成された第２電子加速層４１３ｂとを備えている。
【０１２０】
青色電子放出源４１４、４１５は、緑色電子放出源４１３が配置された放電セルと隣接したさらに他の放電セルで背面誘電体層４０９の上面に形成された第３電極４１４ａと、第３電極４１４ａと同じ幅を持ち、第３電極４１４ａの表面に形成された第３電子加速層４１４ｂと、第４電極４１５ａと、第４電極４１５ａと同じ幅を持ち、前記第４電極４１５ａの表面に形成された第４電子加速層４１５ｂとを備えている。
【０１２１】
この時、第３電極４１４ａと第４電極４１５ａとは、青色放電セル内で隣接した一対の隔壁４１０に隣接してそれぞれ分離されて配置されている。また、第３電極４１４ａと第４電極４１５ａとは、それぞれＸ電極４０４とＹ電極４０５に対応する箇所に配置されている。
【０１２２】
このように複数の第３電極４１４ａ及び第４電極４１５ａが分離されて放電セルのそれぞれの端部に沿って配置されることは、相対的に赤色放電セル及び緑色放電セルよりも輝度の低い青色放電セルにおける電子放出源の面積を拡張させて、電子供給量を増やすためであり、さらに、放電セルの端部側で電子供給量を増加させるためである。
【０１２３】
これにより、同じ電源が印加されても、青色電子放出源４１４、４１５が配置された青色放電セルでの電子供給量が、赤色電子放出源４１２が配置された赤色放電セルや、緑色電子放出源４１３が配置された緑色放電セルでの電子供給量よりも多い電子供給量である。
【０１２４】
この時、第１〜第４電子加速層４１２ｂ、４１３ｂ、４１４ｂ、４１５ｂは、電子を加速させて電子ビームを発生させることができるものであれば特に限定されないが、望ましくは、酸化された多孔性シリコン層である。このとき、酸化された多孔性シリコンは、の時、酸化された多孔性ポリシリコンや、酸化された多孔性非晶質シリコンを含む酸化された多孔性シリコンを含むことができる。
【０１２５】
一方、前面基板４０１と背面基板４０２との結合で密閉された内部空間には放電ガスが注入されるが、前記放電ガスとしては、ネオン（Ｎｅ）ガスや、ヘリウム（Ｈｅ）ガスまたはアルゴン（Ａｒ）ガスのうちいずれか一つまたは二つ以上のガスにキセノン（Ｘｅ）ガスを混合した混合ガスを使用することができる。
【０１２６】
以上のような構成を持つＰＤＰ４００は、アドレッシング放電時にＹ電極４０５とアドレス電極４０８との間に形成された電界によって、第１〜第４電極４１２ａ、４１３ａ、４１４ａ、４１５ａから、第１〜第４電子加速層４１２ｂ、４１３ｂ、４１４ｂ、４１５ｂに電子が流れ込み、流れ込んだ電子は第１〜第４電子加速層４１２ｂ、４１３ｂ、４１４ｂ、４１５ｂを通過しつつ加速された後に、放電セルの内部に放出される。このように放電セルの内部に電子が流れ込めば、アドレッシング放電を容易に起こすことができるので、アドレス駆動電圧を低めることができ、アドレッシング放電を十分に行うことができる。
【０１２７】
また、維持放電時にもＸ電極４０４とＹ電極４０５との間に形成された電界によって、第１〜第４電極４１２ａ、４１３ａ、４１４ａ、４１５ａから、第１〜第４電子加速層４１２ｂ、４１３ｂ、４１４ｂ、４１５ｂを通過しつつ加速された後、放電セルの内部に放出される。したがって、維持放電時に印加しなければならない維持放電電圧が低くなって維持放電が行われる。
【０１２８】
さらに、相対的に放電効率の低い青色放電セルでの放電輝度を向上させるために、青色放電セルに配置された複数の青色放出源４１４、４１５は、赤色放電セルに配置された赤色放出源４１２と、緑色放電セルに配置された緑色放出源４１３とより相対的に面積が大きく形成されるが、これにより、青色放電セルでは電子放出がさらに多く発生し、放電セルでの励起種が多く形成されて輝度が補償される。
【０１２９】
図５は、本発明の第５実施形態によるＰＤＰ５００の概略的な構成を示す断面図である。なお、第１実施形態〜第４実施形態において既に説明した内容と重複する内容は、適宜省略して説明する。
【０１３０】
図５を参照すれば、ＰＤＰ５００は、前面基板５０１と、前面基板５０１と対向して配置された背面基板５０２とを備えている。
【０１３１】
前面基板５０１の内面には一対の維持放電電極５０３が配置されており、維持放電電極５０３は、Ｘ電極５０４及びＹ電極５０５を備えている。Ｘ電極５０４は、第１放電電極ライン５０４ａと、第１放電電極ライン５０４ａの一の端部に沿って配置された第１バス電極ライン５０４ｂとを備え、Ｙ電極５０５は、第２放電電極ライン５０５ａと、第２放電電極ライン５０５ａの一の端部に沿って配置された第２バス電極ライン５０５ｂとを備えている。維持放電電極５０３は、前面誘電体層５０６によって埋め込まれている。前面誘電体層５０６の内面には保護膜層５０７が形成されている。
【０１３２】
背面基板５０２の内面には、維持放電電極対５０３と交差する方向にアドレス電極５０８が配置されている。アドレス電極５０８は、背面誘電体層５０９によって埋め込まれている。
【０１３３】
前面基板５０１と背面基板５０２との間には隔壁５１０が設置されており、保護膜層５０７の内面には発光体層５１１が形成されている。発光体層５１１は、各放電セル別に赤色発光体層５１１Ｒと、緑色発光体層５１１Ｇと、青色発光体層５１１Ｂとを備えている。
【０１３４】
この時、隔壁５１０で画定された放電空間には、電子放出源５１５が配置されている。電子放出源５１５は、赤色電子放出源５１２と、緑色電子放出源５１３と、青色電子放出源５１４、５１５とを備えている。
【０１３５】
赤色電子放出源５１２は、背面誘電体層５０９の上面に形成された第１電極５１２ａと、第１電極５１２ａの表面に形成された第１電子加速層５１２ｂと、第１電子加速層５１２ｂの上面に形成された第２電極５１２ｃとを備えている。
【０１３６】
緑色電子放出源５１３は、赤色電子放出源５１２が配置された放電セルと隣接した他の放電セルで背面誘電体層５０９の上面に形成された第３電極５１３ａと、第３電極５１３ａの表面に形成された第２電子加速層５１３ｂと、第２電子加速層５１３ｂの上面に形成された第４電極５１３ｃとを備えている。
【０１３７】
青色電子放出源５１４、５１５は、放電セルの中央ではなく、隣接した一対の隔壁５１０が配置された放電セルの両端部側にそれぞれ配置されている。すなわち、放電セルの一の端部には、第５電極５１４ａと、第５電極５１４ａの表面に形成された第３電子加速層５１４ｂと、第３電子加速層５１４ｂの上面に形成された第６電極５１５ｃとを備えている。また、放電セルの他の端部には第７電極５１５ａと、第７電極５１５ａの表面に形成された第４電子加速層５１５ｂと、第４電子加速層５１５ｂの上面に形成された第８電極５１５ｃとを備えている。
【０１３８】
これにより、前記第１電極５１２ａ、第３電極５１３ａ、第５電極５１４ａ、第７電極５１５ａはカソード電極になり、第２電極５１２ｃ、第４電極５１３ｃ、第６電極５１４ｃ、第８電極５１５ｃはグリッド電極になる。
【０１３９】
また、第１〜第４電子加速層５１２ｂ、５１３ｂ、５１４ｂ、５１５ｂは、第１電極５１２ａ、第３電極５１３ａ、第５電極５１４ａ、第７電極５１５ａと、第２電極５１２ｃ、第４電極５１３ｃ、第６電極５１４ｃ、第８電極５１５ｃとにそれぞれ所定の電圧が印加されれば、第１電極５１２ａ、第３電極５１３ａ、第５電極５１４ａ、第７電極５１５ａから流れ込んだ電子を加速させて、第２電極５１２ｃ、第４電極５１３ｃ、第６電極５１４ｃ、第８電極５１５ｃを通じて放電セルの内部に電子ビームを放出させることができる。
【０１４０】
この時、電子ビームは、ガスの励起に必要なエネルギーより大きく、ガスのイオン化に必要なエネルギーよりは小さなエネルギーを持つことが望ましい。したがって、第１電極５１２ａ、第３電極５１３ａ、第５電極５１４ａ、第７電極５１５ａと、第２電極５１２ｃ、第４電極５１３ｃ、第６電極５１４ｃ、第８電極５１５ｃには、電子ビームが放電ガスを励起させることができる最適化した電子エネルギーを持つことができる電圧が印加されることが望ましい。
【０１４１】
このように、青色電子放出源５１４、５１５の面積が赤色電子放出源５１２と緑色電子放出源５１３との面積より相対的に大きく形成されているので、電子放出をさらに多く発生させて輝度を補償することができる。
【０１４２】
図６は、本発明の第６実施形態によるＰＤＰ６００の概略構成を示す断面図である。なお、第１実施形態〜第５実施形態において既に説明した内容と重複する内容は適宜省略して説明する。
【０１４３】
図６を参照すれば、ＰＤＰ６００は、前面基板６０１と、前面基板６０１と対向して配置された背面基板６０２とを備えている。
【０１４４】
前面基板６０１の内面には維持放電電極対６０３が配置されており、維持放電電極対６０３は、Ｘ電極６０４及びＹ電極６０５を備えている。Ｘ電極６０４は、第１放電電極ライン６０４ａと、第１放電電極ライン６０４ａの上面に配置された第１バス電極ライン６０４ｂとを備えており、Ｙ電極６０５は、第２放電電極ライン６０５ａと、第２放電電極ライン６０５ａの上面に配置された第２バス電極ライン６０５ｂとを備えている。維持放電電極対６０３は、前面誘電体層６０６によって埋め込まれており、前面誘電体層６０６の内面には保護膜層６０７が形成されている。
【０１４５】
背面基板６０２の内面には、維持放電電極対６０６と交差する方向にアドレス電極６０８が配置されている。アドレス電極６０８は、背面誘電体層６０９によって埋め込まれている。
【０１４６】
一方、前面基板６０１と背面基板６０２との間には隔壁６１０が配置されている。隔壁６１０で画定された放電セルには発光体層６１１が塗布されるが、本実施形態では赤、緑、青色の発光体層６１１Ｒ、６１１Ｇ、６１１Ｂが保護膜層６０７の内面に沿って隣接した放電セルにそれぞれ塗布されている。
【０１４７】
この時、アドレス電極６０８の上面には電子放出源６１６が配置されている。電子放出源６１６は、赤色電子放出源６１２と、緑色電子放出源６１３と、青色電子放出源６１４、６１５とを備えている。
【０１４８】
赤色電子放出源６１２は、アドレス電極６０８の表面に接触している第１加速層６１２ａと、第１加速層６１２ａと同じ幅を維持している第１電極６１２ｂとを備えている。アドレス電極６０８は、第４及び第５実施形態で言及した電子を供給する電極である。
【０１４９】
緑色電子放出源６１３は、赤色電子放出源６１２が配置された放電セルと隣接した他の放電セルでアドレス電極６０８の表面に形成された第２加速層６１３ａと、第２加速層６１３ｂと同じ幅を持ち、第２加速層６１３ａの表面に形成された第２電極６１３ｂと、を備えている。
【０１５０】
青色電子放出源６１４、６１５は、緑色電子放出源６１３が配置された放電セルと隣接したさらに他の放電セル内に配置されており、隣接した一対の隔壁６１０と近接して放電セルの両端部に沿って配置されている。
【０１５１】
すなわち、放電セルの一の端部には、アドレス電極６０８の表面に形成された第３加速層６１４ａと、第３加速層６１４ａの表面に形成された第３電極６１４ｂとが形成されている。また、放電セルの他の端部には、アドレス電極６０８の表面に形成された第４加速層６１５ａと、第４加速層６１５ａの表面に形成された第４電極６１５ｂと、が形成されている。
【０１５２】
この時、第１加速層６１２ａ〜第４加速層６１５ａは、電子を加速させて電子ビームを発生させることができるものであれば特に限定はされないが、望ましくは、酸化された多孔性シリコンから層である。酸化された多孔性シリコンは、酸化された多孔性ポリシリコンや、酸化された多孔性非晶質シリコンを含むことができる。また、窒化ホウ素バンブーシュートを含む電子放出源を使用しても良い。
【０１５３】
また、第１加速層６１２ａ〜第４加速層６１５ａは、アドレス電極６０８の表面に接触して形成されているが、これに限定されない。すなわち、アドレス電極６０８の側面に接触して配置されるなど、アドレス電極６０８に接触して電子が流れ込まれる構造であれば、その配置する形状に特別な制限はない。
【０１５４】
特に、青色電子放出源６１４、６１５の面積は、赤色電子放出源６１２、緑色電子放出源６１３の面積に比べて相対的に広く形成されている。これにより、青色発光体層６１１Ｂの素材特性によって青色放電セルでの輝度の低下は、青色電子放出源６１４、６１５の面積を赤色及び緑色電子放出源６１２、６１３の面積より相対的に広く形成させることによってこれを補償することができる。
【０１５５】
本発明は図面に示された実施形態を参考に説明したが、これは例示的なものに過ぎず、当業者ならばこれより多様な変形及び均等な他の実施形態が可能であるという点を理解できるであろう。
【産業上の利用可能性】
【０１５６】
本発明は、ＰＤＰに関する技術分野に有用である。
【図面の簡単な説明】
【０１５７】
【図１】本発明の第１実施形態によるＰＤＰの概略的な構成を示す断面図である。
【図２】本発明の第２実施形態によるＰＤＰの概略的な構成を示す断面図である。
【図３】本発明の第３実施形態によるＰＤＰの概略的な構成を示す断面図である。
【図４】本発明の第４実施形態によるＰＤＰの概略的な構成を示す断面図である。
【図５】本発明の第５実施形態によるＰＤＰの概略的な構成を示す断面図である。
【図６】本発明の第６実施形態によるＰＤＰの概略的な構成を示す断面図である。
【符号の説明】
【０１５８】
１００    ＰＤＰ、
１０１    前面基板、
１０２    背面基板、
１０３    維持放電電極対、
１０４    Ｘ電極、
１０４ａ    第１放電電極ライン、
１０４ｂ    第１バス電極ライン、
１０５    Ｙ電極、
１０５ａ    第２放電電極ライン、
１０５ｂ    第２バス電極ライン、
１０６    前面誘電体層、
１０７    保護膜層、
１０８    アドレス電極、
１０９    背面誘電体層、
１１０    隔壁、
１１１    発光体層、
１１１Ｒ    赤色発光体層、
１１１Ｇ    緑色発光体層、
１１１Ｂ    青色発光体層、
１１５    電子放出源、
１１２    赤色電子放出源、
１１２ａ    第１電極、
１１２ｂ    第１電子加速層、
１１３    緑色電子放出源、
１１３ａ    第２電極、
１１３ｂ    第２電子加速層、
１１４    青色電子放出源、
１１４ａ    第３電極、
１１４ｂ    第３電子加速層。
【図１】
2007157692.tif 000003
【図２】
2007157692.tif 000004
【図３】
2007157692.tif 000005
【図４】
2007157692.tif 000006
【図５】
2007157692.tif 000007
【図６】
2007157692.tif 000008